(57)【要約】【課題】【解決手段】植込み型医療装置は、包囲体と、該包囲体内に配置された第一の複数の電気接点と、包囲体内に固着された少なくとも第一の電気的構成要素と、第一の電気的構成要素における第二の複数の電気接点と、第一及び第二の複数の電気接点間の電気的結合状態を提供する端子アレイとを備えている。端子アレイは、貫通する複数の開口を有するハウジングを備え、該ハウジングは、第一の側部及び第二の反対側側部を有している。複数の導電性端子の各々が複数の開口の１つの内部に配置され、また、ハウジングの第一の側部に近接する第一の接点領域と、ハウジングの第二の側部に近接する第二の接点領域とを有している。第一の接点領域は、第一の複数の電気接点の１つに電気的に結合され、第二の接点領域は、第二の複数の接点の１つに電気的に結合される。
2005515858.tif 000002
【特許請求の範囲】
【請求項１】
植込み型医療装置において、
包囲体と、
該包囲体内の第一の複数の電気接点と、
前記包囲体内に固着された少なくとも第一の電気的構成要素と、
該第一の電気的構成要素における第二の複数の電気接点と、
前記第一の複数の電気接点と前記第二の複数の電気接点との間に電気的結合状態を提供する端子アレイとを備え、該端子アレイが、
複数の貫通する開口を有して、第一の側部及び第二の反対側側部を有するハウジングと、
複数の導電性端子であって、各々が前記複数の開口の１つ内に配置され且つ、前記第一の側部に近接する第一の接点領域と、第二の反対側側部に近接する第二の接点領域とを有し、該第一の接点領域が前記第一の複数の電気接点の１つに電気的に結合され、前記第二の接点領域が前記第二の複数の接点の１つに電気的に結合される前記複数の導電性端子とを備える、植込み型医療装置。
【請求項２】
請求項１に記載の植込み型医療装置において、
前記第一の電気的構成要素が、第一のプリント配線板であり、
前記第二の複数の電気接点が、前記第一のプリント配線板上に複数の接点パッドを備える、植込み型医療装置。
【請求項３】
請求項２に記載の植込み型医療装置において、
前記複数の接点パッドが予めはんだ付けされる、植込み型医療装置。
【請求項４】
請求項３に記載の植込み型医療装置において、
前記第二の接点領域が、予めはんだ付けした接点パッドの１つに配置され且つ、該接点パッドにはんだ付けされる、植込み型医療装置。
【請求項５】
請求項４に記載の植込み型医療装置において、
前記第一の接点領域の各々を前記第一の複数の電気的接点の１つに結合する複数の電気コネクタを更に備える、植込み型医療装置。
【請求項６】
請求項５に記載の植込み型医療装置において、
前記複数の電気コネクタがワイヤーボンディング部である、植込み型医療装置。
【請求項７】
請求項５に記載の植込み型医療装置において、
前記複数の電気コネクタがレーザリボンである、植込み型医療装置。
【請求項８】
請求項５に記載の植込み型医療装置において、
前記第一の複数の電気接点が、前記包囲体におけるフィードスルーである、植込み型医療装置。
【請求項９】
請求項５に記載の植込み型医療装置において、
前記第一の複数の電気接点が、前記包囲体内で第二の電気的構成要素上に配置される、植込み型医療装置。
【請求項１０】
請求項９に記載の植込み型医療装置において、
前記第二の電気的構成要素が電池である、植込み型医療装置。
【請求項１１】
請求項９に記載の植込み型医療装置において、
前記第二の電気的構成要素がコンデンサである、植込み型医療装置。
【請求項１２】
請求項９に記載の植込み型医療装置において、
前記第二の電気的構成要素が第二のプリント配線板である、植込み型医療装置。
【請求項１３】
請求項９に記載の植込み型医療装置において、
前記第二の反対側部から伸びる複数の支持脚を更に備える、植込み型医療装置。
【請求項１４】
請求項９に記載の植込み型医療装置において、
前記第一及び第二の接点領域が前記ハウジングを超えて伸びる、植込み型医療装置。
【請求項１５】
請求項１４に記載の植込み型医療装置において、
前記複数の開口の各々が、該開口を横切る第一の寸法を有し、
前記第一の接点領域が、該第一の寸法よりも大きい、該第一の接点領域を横切る第二の寸法を有する、植込み型医療装置。
【請求項１６】
請求項１５に記載の植込み型医療装置において、
前記ハウジングが、成形可能な材料にて出来ている、植込み型医療装置。
【請求項１７】
請求項１６に記載の植込み型医療装置において、
前記複数の開口が一列に配置される、植込み型医療装置。
【請求項１８】
請求項１６に記載の植込み型医療装置において、
前記複数の開口が複数列に配置される、植込み型医療装置。
【請求項１９】
端子アレイにおいて、
複数の貫通する開口を有して、第一の側部及び第二の反対側側部を有するハウジングと、
複数の導電性端子であって、各々１つが前記複数の開口の１つに配置され、前記第一の側部に近接する第一の接点領域と、前記第二の反対側側部に近接する第二の接点領域とを有する前記複数の導電性端子とを備える、端子アレイ。
【請求項２０】
請求項１９に記載の端子アレイにおいて、
記第二の反対側側部から伸びる複数の支持脚を更に備える、端子アレイ。
【請求項２１】
請求項１９に記載の端子アレイにおいて、
前記第一の接点領域が前記ハウジングを超えて伸びる、端子アレイ。
【請求項２２】
請求項２１に記載の端子アレイにおいて、
前記第二の接点領域が前記ハウジングを超えて伸びる、端子アレイ。
【請求項２３】
請求項２２に記載の端子アレイにおいて、
前記複数の開口の各々が、該開口を横切る第一の寸法を有し、
前記第一の接点領域が、前記第一の寸法よりも大きい、該第一の接点領域を横切る第二の接点領域を有する、端子アレイ。
【請求項２４】
請求項２３に記載の端子アレイにおいて、
前記ハウジングが成形可能な材料で出来ている、端子アレイ。
【請求項２５】
請求項２４に記載の端子アレイにおいて、
前記成形可能な材料が液晶ポリマーである、端子アレイ。
【請求項２６】
請求項２４に記載の端子アレイにおいて、
前記成形可能な材料がポリスルフォンである、端子アレイ。
【請求項２７】
請求項１９に記載の端子アレイにおいて、
前記第一の接点領域が第一の実質的に平坦な面を保持する、端子アレイ。
【請求項２８】
請求項２７に記載の端子アレイにおいて、
前記第二の接点領域が第二の実質的に平坦な面を保持する、端子アレイ。
【請求項２９】
請求項１９に記載の端子アレイにおいて、
前記複数の開口が一列に配置される、端子アレイ。
【請求項３０】
請求項１９に記載の端子アレイにおいて、
前記複数の開口が複数列に配置される、端子アレイ。
【請求項３１】
請求項２７に記載の端子アレイにおいて、
前記第一の面が第一の導電性被覆を有する、端子アレイ。
【請求項３２】
請求項３１に記載の端子アレイにおいて、
前記第二の面が第二の導電性被覆を有する、端子アレイ。
【請求項３３】
請求項１９に記載の端子アレイにおいて、
前記ハウジングと係合して前記第一の接点領域を保護する取り外し可能なカバーを更に備える、端子アレイ。
【発明の詳細な説明】
【技術分野】
【０００１】
本発明は、全体として、植込み型医療装置、より具体的には、溶接及び（又は）ワイヤーボンディングに適した面を含む、サーフェスマウントしたはんだ付け可能な端子アレイを内蔵する植込み型医療装置に関する。
【背景技術】
【０００２】
ペースメーカ、除細動器、神経刺激器及び同等物のような植込み型医療装置は、全体として、「クラムシェル（ｃｌａｍ  ｓｈｅｌｌ）」組立体を形成する２つの金属半体を備えるハウジング内にて展開させる。外部の感知電極及び（又は）治療作用電極への電気的連絡は、ハウジングの外側部分に固定された硬いプラスチック接続モジュールによって行われることがしばしばである。１つ以上のフィードスルーコネクタは、ハウジング内に保持された電気的構成要素又は回路に対してやり取りする電気的連絡を許容すると同時に、装置の密閉性を維持する。
【０００３】
上述した基本的構築を使用する、かかる植込み型医療装置を製造するためには、コストを増し、歩留りを低下させ且つ、設計の自由度を制限する複雑な製造工程を必要とすることが多い。かかる工程の１つは、プリント配線板（ＰＷＢ）、フレックス基板、セラミック基板及び同等物のような、基板上に形成され内部にて展開させるハイブリッド回路を有する、電池、コンデンサ及びフィードスルーのような構成要素間の電気接点及び相互接続部を提供することを含む。すなわち、基板は、溶接又はワイヤーボンディングに直接、適合しない。溶接の場合、基板の金属被覆部、更に、基板自体さえも、それらの融点がそれぞれ低いため、損傷されることがある。例えば、ＰＷＢ又はフレックス基板の場合、めっきした金属に直接、溶接しようとしたならば、エポキシガラス又はポリイミドは溶融していまうであろう。セラミック基板は、また、急速な局所的加熱によって損傷を受けることもある。ＰＷＢ又はフレックス回路の金属被覆部に対するワイヤーボンディングは可能ではあるが、金仕上げが必要とされ、また、はんだのはね返りが生じる可能性がある。更に、金仕上げを使用することは、はんだ継手を脆弱にする可能性がある。
【０００４】
より小型の装置寸法となる傾向のため、より小型で且つ、より狭く隔てた相互接続端子が必要となっている。残念なことに、このことは、特定の問題点を招来する。第一に、構成要素は、はんだ過程の間、はんだパッド上にて「すべり」又は「浮き上がり」、その結果、不均一な構成要素の間隔となり、また、ＰＷＢの面に対し過度に傾く可能性がある。この変化は、その端子の結線／溶接面の角度によって生じる電気的分離及び結線／溶接の変化を最小にするため、最小限に止めなければならない。更に、個々の端子又は接点の寸法が益々、小型化するため、現在の拾い上げ及び配置のサーフェスマウント組立体の装置にて端子を管理することは難しい。
【０００５】
現在、使用されている１つの方策は、金めっきした個々の端子ブロックをハイブリッド基板にはんだ付けすることを含む。次に、溶接又はワイヤーボンディングによりこれらのブロックへの電気的結合が為される。更に、個々に配置されたサーフェスマウントはんだボタンを使用することは既知である。しかし、これらの方策は、上述した不利益な点がある。セラミックブロックアレイを使用することは、均一な端子間隔及び接合面へのはんだの吸上げ、すなわちはんだが側部まで、及び場合によっては、最上部まで上方に移動する状態にてハイブリッド回路に対し多数の接続を行うことを可能にする。残念なことに、１つの面から他の面への各端子を通じてのインピーダンスの結果、高電流時に大きい電圧降下が生じる。
【０００６】
上記のことに鑑みて、ハイブリッド回路の構成要素を電池、コンデンサ、フィードスルー等のようなその他の構成要素に電気的に接続する溶接可能及び（又は）ワイヤーボンディング可能な面を提供し、また、経済的で、上述した不利益な点及び問題点を回避すると同時に、接点間の間隔を狭くすることを可能にする、サーフェスマウントはんだ付け可能な端子組立体を提供することが望ましいことを理解すべきである。
【０００７】
本発明の上記の背景から及び１つの好ましい一例としての実施の形態及び特許請求の範囲の以下の詳細な説明から、追加的な望ましい特徴が当該技術分野の当業者に明らかになるであろう。
【発明の開示】
【０００８】
本発明の第一の側面によれば、包囲体と、該包囲体内に配置された第一の複数の電気接点と、包囲体内に固着された少なくとも第一の電気的構成要素と、第一の電気的構成要素における第二の複数の電気接点と、第一及び第二の複数の電気接点間の電気的結合を提供する端子アレイとを備える、植込み型医療装置が提供される。端子アレイは、複数の貫通する開口を有するハウジングを備えており、該ハウジングは、第一の側部と、第二の反対側側部とを有している。複数の導電性端子の各々が複数の開口の１つ内に配置され、また、ハウジングの第一の側部に近接する第一の接点領域と、ハウジングの第二の側部に近接する第二の接点領域とを有する。第一の接点領域は、第一の複数の電気接点の１つに電気的に結合され、第二の接点領域は、第二の複数の接点の１つに電気的に結合されている。
【０００９】
以下の図面は、特定の実施の形態の説明のためであり、従って、本発明の範囲を制限するものではなく、本発明を的確に理解することに資するように掲げたものである。図面は正確な縮尺通りではなく（そのように記載されていない限り）、また、以下の詳細な説明と共に参照することを目的とするものである。本発明は、同様の要素を同様の参照番号で表示する、添付図面に関して以下に説明する。
【好ましい実施の形態の説明】
【００１０】
図１及び図２は、本発明による植込み型医療装置のそれぞれ平面図及び側面図である。理解し得るように、植込み型医療装置は、例えば、チタン又はその他の適宜な生体適合性金属で出来た包囲体２０を備えている。包囲体２０は、例えば、継目２６に沿って溶接することにより接続され、その内部に収容された電気的構成要素（例えば、電池、回路等）への流体の侵入を阻止する密閉的に封止された包囲体を提供するそれぞれ第一及び第二の半体２２、２４を有している。包囲体２０には、複数のリード又はリード又はフィードスルーワイヤー３２がそこから伸びる複数のフィードスルー３０を具備する凹状領域２８が設けられている。一方、リード３２は、コネクタプラグ（図示せず）を介してその他のリードワイヤーに電気的に接続されており、該リードワイヤーは、植込み型医療装置により監視し及び（又は）貫入すべき器官内にて展開される。例えば、ペースメーカ又は除細動器と関係したリードを心臓組織内に又は心臓組織に近接して展開し、神経刺激器と関係したものは、脳組織内にで又は脳組織の近くに配置されることになろう。
【００１１】
図３は、図１、図２に示した植込み型医療装置の特定の主要な構成要素を示す切欠き図である。第一及び第二の電気的構成要素３３、３６は、それぞれ例えば、接着剤により包囲体の半体２４内に固着される。この目的に適した接着剤は、エポキシ４５ＳＣを触媒１５ＳＣと組み合わせた、マサチューセッツ州、ウォーバームのエマーソン・アンド・カミングス（Ｅｍｅｒｓｏｎ  ａｎｄ  Ｃｕｍｍｉｎｇｓ）から販売されている２部分エポキシ（エコボンドエポキシ（Ｅｃｃｏｂｏｎｄ  ｅｐｏｘｙ））である。しかし、その他の接着剤又は固着機構が採用可能であることを理解すべきである。
【００１２】
第一の電気的構成要素３３は、複数のサーフェスマウントした構成要素３８を有する基板３４（例えば、プリント配線板又はセラミック基板）と、金属被覆部４０と、大規模集積回路を形成し得るようにその上に配置された第一の接点パッド４２のアレイと、第二の接点パッド４３のアレイとを備えている。例えば、心臓ペースメーカの場合、回路は、１つ以上の感覚増幅器と、接点パッド４２を介して非留置型心臓センサに結合されたパルス発生器等と、電気コネクタ４４（例えば、ワイヤー又は導電性リボン）と、フィードスルー３０とを備えている。しかし、本発明は、除細動器、神経刺激器、モニタ装置又は薬剤ポンプ等のようなその他の型式の植込み型医療装置と関係した回路と共に採用することが可能であるから、特定の回路及びその機能は、限定的なものと見なすべきではないことは明らかである。しかし、心臓ペースメーカの更なる説明に関して、興味のある読者は、ハートラブ（ＨＡＲＴＬＡＵＢ）らに対して発行された米国特許第４，４０１，１２０号、ドゥーガン（ＤＵＧＧＡＮ）らに対して発行された米国特許第４，９５８，６３２号、シビュラ（ＳＩＶＵＬＡ）らに対して発行された米国特許第５，０５２，３８８号、フーパー（ＨＯＯＰＥＲ）らに対して発行された米国特許第５，０８０，０９６号、マコーウィッツ（ＭＡＲＫＯＷＩＴＺ）らに対して発行された米国特許第５，０８８，４８８号、ウィボニィ（ＷＹＢＯＲＮＹ）らに対して発行された米国特許第５，１２７，４０４号、ベネット（ＢＥＮＮＥＴＴ）らに対して発行された米国特許第５，１５４，１７０号、ルーベン（ＲＵＢＥＮ）らに対して発行された米国特許第５，５３５，０９７号を参照するとよい。
【００１３】
電気的構成要素３６は、１つ以上の電池（ペースメーカ、除細動器、神経刺激器等の場合）、１つ以上のコンデンサ（除細動器の場合）、１つ以上の追加的なハイブリット集積回路、又はその幾つかの組み合わせを備えることができる。しかし、簡略化のため、構成要素３６は、電池と想定し、その電池の正及び負端子は、導電体４６を介して基板３４の上の接点パッド４３に電気的に結合されるものとする。
【００１４】
上記に説明したように、ワイヤー又は導電性リボンを接点パッド４２、４３に溶接しようとする場合（例えば、超音波、抵抗、又はレーザ溶接により）、基板及び（又は）接点パッドに接続された金属被覆部の低融点、その箇所のはんだの汚染の可能性又は熱誘導亀裂に起因する特定の問題点に遭遇する。これらの問題点は、図４ないし図８に示し且つ、これら図面に関して説明したサーフェスマウント端子を使用することに通じて実質的に緩和することができる。
【００１５】
図４及び図５は、本発明の第一の実施の形態によるサーフェスマウント端子アレイの頂面図及び側面図である。端子アレイは、ハウジング４８と、貫通して伸びる複数の導電性端子５０とを備えている。ハウジング４８は、液晶ポリマー、ポリスルフォン又ははんだ及び溶接温度を許容するのに必要な寸法的安定性及び熱抵抗を提供するその他の成形可能な材料のような、成形可能な材料で製造することができる。導電性端子５０は、ニッケル、銅、黄銅、青銅又はその他の適宜な導電性金属にて製造することができる。これと代替的に、端子は、非めっきの卑金属とするか、又はスズ、金／ニッケル、パラジウム／ニッケル、銀又はその他の仕上げ材でめっきすることができる。はんだ付けした面は、溶接し又はワイヤーボンディングした面と相違する仕上げとなるようにすることができる。このことは、各接続過程にとって最適な金属被覆部を提供する。端子５０は、成形したハウジング４８の開口内に端子を圧力嵌めすることを可能にする、図１０に示した半径方向突出部５２のような捕捉造作構造部を有するように機械加工することができる。これと代替的に、端子５０は、硬化する前に、成形可能な材料内に配置してもよい。
【００１６】
接点端子５０の各々は、その各々にそれぞれ平坦な接点面５８、６０が設けられた第一の接点領域５４及び第二の接点領域５６を有している。理解し得るように、接点領域５４は、接点領域６０の直径よりも大きい直径を有する。このことは、端子５０をハウジング４８内に位置決めすることを助けるのみならず、ワイヤーボンディング又は溶接を容易にし得るようにより大きい接点面を提供する。最後に、支持脚部６２をハウジング４８に設け且つ（又は）ハウジング４８と一体に形成してサーフェスマウント端子アレイを基板上の所望の位置に支持し且つ、位置決めするのを助けるようにすることができる。
【００１７】
図４及び図５に示した本発明の端子アレイは、一列の５つの端子５０を有している。しかし、端子の数は特定の目的に合うように変更することができ、また、端子を１列以上の列にて配置することが可能であることを理解すべきである。例えば、図６、図７及び図８は、本発明の第二の実施の形態によるサーフェスマウント端子アレイのそれぞれ頂面図、側面図及び等方位図である。理解し得るように、図６、図７及び図８に示した装置は、一列に配置された３つの端子のみを有する。これに反して、図９は、２列に配置された４つの端子５０を備える本発明の第三の実施の形態によるサーフェスマウント端子アレイの頂面図である。
【００１８】
図１１、図１２及び図１３は、取り外し可能なキャップ又はカバー６４が設けられた、図４及び図５に示した型式のサーフェスマウント端子アレイのそれぞれ頂面図、側面図及び等方位図である。図１４及び図１５は、それぞれ線１４−１４及び線１５−１５に沿った、図１１及び図１２に示した装置の断面図である。取り外し可能なキャップ６４には、取り扱い及び配置を容易にする実質的に平坦な面６６が設けられている。キャップ６４は、慎重に取り外される迄、キャップ６４を所要位置に維持すべくハウジング４８の下面と弾性的に係合する突起６８も有している。このようにして、ワイヤーボンディング可能／溶接可能な平坦面５８は、はんだのはね返りから保護され、このことは、その後の時間及び費用のかかる再加工を不要にする。これと代替的に、ワイヤーボンディング可能又は溶接可能な面５８は、容易に可溶性である保護材料にて被覆してもよい。かかる水溶性膜は、市販されており、また、浸漬、ローラ被覆及び噴霧を含む色々な手段によって施すこともできる。
【００１９】
本発明のサーフェスマウント端子アレイを利用するためには、アレイは、最初に基板３４上に配置し、接点領域５６の平坦面６０が場合に応じて接点パッド４２又は４３と係合するようにする。本発明の端子アレイの物理的寸法のため、アレイは、現在の自動式拾い上げ及び配置装置により容易に拾い上げ且つ配置できる。また、多数端子アレイは、単一の接点を個別に配置する場合とほぼ同一の時間にて配置することができる結果、組立て速度も速くなる。
【００２０】
図１０を参照すると、図３に示した型式の接点パッド４２の表面に休止する平坦なはんだ付け面６０を有する接点端子５０が図示されている。接点パッド４２は、はんだペースト（好ましくは、共晶スズ−鉛又はその他の標準的はんだ）及び周知のステンシル印刷技術を使用してはんだ７０にて予め印刷されている。ハイブリット回路組立体がはんだ付け過程を受けるとき、接点パッド４２上のはんだは溶融し且つ、端子５０の下側接点領域５６と良好に接続する。その後、電気接続部４４（図３）を端子５０の上面５８にワイヤーボンディングし又は溶接することができる。はんだ端子（すなわち、接点領域５６）は、ワイヤーボンディング可能又は溶接可能な面５８よりも小さい直径であるから、隣接する端子間の間隔を増すことなく、接点領域５６の周りに完全なフィレット部を実現することが可能である。
【００２１】
このように、隣接する端子間の間隔を狭くすることを可能にする植込み型医療装置にて使用されるサーフェスマウント端子アレイが提供される。接点の設計及びこれに相応するその内部に端子が配置される穴の捕捉造作構造部により、整合が保証される。このことは、列内の全ての端子を互いに一定の距離に維持することになる。端子の改良された整合状態のため、相互に接続する過程間のパターンの認識又は機械の視認装置に対する要求は、軽減され又は解消される。接続面５８を基板の表面から上方に隣接する構成要素の高さまで持ち上げることにより、接合ヘッドの干渉は、実質的に減少する。色々な端子の高さはまた、相互に接続したワイヤー又はリボンのループ化を向上させることができる。最後に、選択的なキャップは、従来の拾い上げ及び配置装置を使用して構成要素を容易に位置決めすることを可能にするのみならず、キャップは、端子５０の上面５８をはんだ付け過程の間、はんだのはね返りからも保護する。
【００２２】
好ましい一例としての実施の形態を上記の詳細な説明にて記述したが、実施の形態の極めて多数の変更例が存在することが明らかである。例えば、２つの接点アレイのみを図３に示したが、かかるアレイを２つ以上見ることも稀なことではない。
【００２３】
好ましい実施の形態は、単に一例にしか過ぎず、本発明の範囲、適用可能性又は形態を何らかの仕方にて制限することを意図するものではないことをも理解すべきである。上記の詳細な説明は、当該技術分野の当業者に対して本発明の好ましい一例としての実施の形態を具体化する従来の説明図を提供するものである。特許請求の範囲に記載された本発明の精神及び範囲から逸脱せずに、一例としての好ましい実施の形態に関して説明した機能及び配置の点にて色々な変更を為すことができる。
【図面の簡単な説明】
【００２４】
【図１】組み立てた植込み型医療装置の平面図である。
【図２】組み立てた植込み型医療装置の側面図である。
【図３】図１に示した装置の切欠き図である。
【図４】本発明の第一の実施の形態によるサーフェスマウント端子アレイの頂面図である。
【図５】本発明の第一の実施の形態によるサーフェスマウント端子アレイの側面図である。
【図６】本発明の第二の実施の形態によるサーフェスマウント端子アレイの頂面図である。
【図７】本発明の第二の実施の形態によるサーフェスマウント端子アレイの側面図である。
【図８】本発明の第二の実施の形態によるサーフェスマウント端子アレイの等方位図である。
【図９】本発明の第三の実施の形態によるサーフェスマウント端子アレイの頂面図である。
【図１０】本発明の端子アレイ中の１つの端子がプリント配線板上で接点パットと係合する状態を示す断面図である。
【図１１】カバーが設けられた本発明のサーフェスマウント端子アレイの頂面図である。
【図１２】カバーが設けられた本発明のサーフェスマウント端子アレイの側面図である。
【図１３】カバーが設けられた本発明のサーフェスマウント端子アレイの等方位図である。
【図１４】線１４−１４に沿った図１１に示した端子アレイの頂面図である。
【図１５】線１５−１５に沿った図１２に示した端子アレイの頂面図である。
【図１】
2005515858.tif 000003
【図２】
2005515858.tif 000004
【図３】
2005515858.tif 000005
【図４】
2005515858.tif 000006
【図５】
2005515858.tif 000007
【図６】
2005515858.tif 000008
【図７】
2005515858.tif 000009
【図８】
2005515858.tif 000010
【図９】
2005515858.tif 000011
【図１０】
2005515858.tif 000012
【図１１】
2005515858.tif 000013
【図１２】
2005515858.tif 000014
【図１３】
2005515858.tif 000015
【図１４】
2005515858.tif 000016
【図１５】
2005515858.tif 000017
【手続補正書】
【提出日】平成16年10月1日(2004.10.1)
【手続補正１】
【補正対象書類名】特許請求の範囲
【補正対象項目名】全文
【補正方法】変更
【補正の内容】
【特許請求の範囲】
【請求項１】
植込み型医療装置において、
包囲体（２０）と、
該包囲体内の第一の複数の電気接点（４３）と、
前記包囲体内に固着された少なくとも第一の電気的構成要素（３３）と、
該第一の電気的構成要素（３３）上の第二の複数の電気接点（４２）と、
前記第一の複数の電気接点（４３）と前記第二の複数の電気接点（４２）とを有する電気的結合状態を提供する端子アレイ（５０）とを備え、該端子アレイ（５０）が、
複数の貫通する開口を有し、第一の側部及び第二の反対側側部を有するハウジング（４８）と、
複数の導電性端子（５０）であって、各々が前記複数の開口の１つ内に配置され且つ、前記第一の側部に近接する第一の接点領域（５４）と、第二の反対側側部に近接する第二の接点領域（５６）とを有し、
該第一の接点領域（５４）が、第一の直径を有し、該第二の接点領域（５６）が第一の直径より小さい第二の直径を有し、
前記第一の接点領域（５４）が、前記第一の複数の電気接点（４３）の１つに電気的に結合され、
前記第二の接点領域（５６）が、前記第二の複数の接点（４２）の１つに電気的に結合される前記複数の導電性端子（５６）とを備えることを特徴とする、植込み型医療装置。
【請求項２】
請求項１に記載の植込み型医療装置において、
前記第一の電気的構成要素が、第一のプリント配線板であり、
前記第二の複数の電気接点が、前記第一のプリント配線板上に複数の接点パッドを備えることを特徴とする、植込み型医療装置。
【請求項３】
請求項２に記載の植込み型医療装置において、
前記複数の接点パッドが予めはんだ付けされることを特徴とする、植込み型医療装置。
【請求項４】
請求項３に記載の植込み型医療装置において、
前記第二の接点領域が、予めはんだ付けした接点パッドの１つに配置され且つ、該接点パッドにはんだ付けされることを特徴とする、植込み型医療装置。
【請求項５】
請求項４に記載の植込み型医療装置において、
前記第一の接点領域の各々を前記第一の複数の電気的接点の１つに結合する複数の電気コネクタ（４４）を備えることを更に特徴とする、植込み型医療装置。
【請求項６】
請求項５に記載の植込み型医療装置において、
前記複数の電気コネクタがワイヤーボンディング部であることを特徴とする、植込み型医療装置。
【請求項７】
請求項５に記載の植込み型医療装置において、
前記複数の電気コネクタがレーザリボンであることを特徴とする、植込み型医療装置。
【請求項８】
請求項５に記載の植込み型医療装置において、
前記第一の複数の電気接点が、前記包囲体におけるフィードスルー（ｆｅｅｄ−ｔｈｒｏｕｇｈｓ）であることを特徴とする、植込み型医療装置。
【請求項９】
請求項５に記載の植込み型医療装置において、
前記第一の複数の電気接点が、前記包囲体内で第二の電気的構成要素上に配置されることを特徴とする、植込み型医療装置。
【請求項１０】
請求項９に記載の植込み型医療装置において、
前記第二の電気的構成要素が電池であることを特徴とする、植込み型医療装置。
【請求項１１】
請求項９に記載の植込み型医療装置において、
前記第二の電気的構成要素がコンデンサであることを特徴とする、植込み型医療装置。
【請求項１２】
請求項９に記載の植込み型医療装置において、
前記第二の電気的構成要素が第二のプリント配線板であることを特徴とする、植込み型医療装置。
【請求項１３】
請求項９に記載の植込み型医療装置において、
前記第二の反対側部から伸びる複数の支持脚（６２）を備えることを更に特徴とする、植込み型医療装置。
【請求項１４】
請求項９に記載の植込み型医療装置において、
前記第一及び第二の接点領域が、前記ハウジングを超えて伸びることを特徴とする、植込み型医療装置。
【請求項１５】
請求項１４に記載の植込み型医療装置において、
前記ハウジングが、成形可能な材料にて出来ていることを特徴とする、植込み型医療装置。
【請求項１６】
請求項１５に記載の植込み型医療装置において、
前記複数の開口が一列に配置されることを特徴とする、植込み型医療装置。
【請求項１７】
請求項１５に記載の植込み型医療装置において、
前記複数の開口が複数列に配置されることを特徴とする、植込み型医療装置。
【請求項１８】
端子アレイにおいて、
複数の貫通する開口を有して、第一の側部及び第二の反対側側部を有するハウジング（４８）と、
複数の導電性端子（５０）であって、各々１つが前記複数の開口の１つに配置され、前記第一の側部に近接する、第一の直径を有する第一の接点領域（５４）と、前記第二の反対側側部に近接する、第一の直径よりも小さい第二の直径を有する第二の接点領域（５６）とを有する前記複数の導電性端子とを備えることを特徴とする、端子アレイ。
【請求項１９】
請求項１８に記載の端子アレイにおいて、
前記第二の反対側側部から伸びる複数の支持脚（６２）を備えることを更に特徴とする、端子アレイ。
【請求項２０】
請求項１８に記載の端子アレイにおいて、
前記第一の接点領域が前記ハウジングを超えて伸びることを特徴とする、端子アレイ。
【請求項２１】
請求項２０に記載の端子アレイにおいて、
前記第二の接点領域が前記ハウジングを超えて伸びることを特徴とする、端子アレイ。
【請求項２２】
請求項２１に記載の端子アレイにおいて、
前記複数の開口の各々が、該開口を横切る第一の寸法を有し、
前記第一の接点領域が、前記第一の寸法よりも大きい、該第一の接点領域を横切る第二の接点領域（５８）を有することを特徴とする、端子アレイ。
【請求項２３】
請求項２２に記載の端子アレイにおいて、
前記ハウジングが成形可能な材料で出来ていることを特徴とする、端子アレイ。
【請求項２４】
請求項２３に記載の端子アレイにおいて、
前記成形可能な材料が液晶ポリマーであることを特徴とする、端子アレイ。
【請求項２５】
請求項２３に記載の端子アレイにおいて、
前記成形可能な材料がポリスルフォン（ｐｏｌｙｓｕｌｆｏｎｅ）であることを特徴とする、端子アレイ。
【請求項２６】
請求項１８に記載の端子アレイにおいて、
前記第一の接点領域が第一の実質的に平坦な面（５８）を保持することを特徴とする、端子アレイ。
【請求項２７】
請求項２６に記載の端子アレイにおいて、
前記第二の接点領域が第二の実質的に平坦な面（５０）を保持することを特徴とする、端子アレイ。
【請求項２８】
請求項１８に記載の端子アレイにおいて、
前記複数の開口が一列に配置されることを特徴とする、端子アレイ。
【請求項２９】
請求項１８に記載の端子アレイにおいて、
前記複数の開口が複数列に配置されることを特徴とする、端子アレイ。
【請求項３０】
請求項２６に記載の端子アレイにおいて、
前記第一の面が第一の導電性被覆を有することを特徴とする、端子アレイ。
【請求項３１】
請求項３０に記載の端子アレイにおいて、
前記第二の面が第二の導電性被覆を有することを特徴とする、端子アレイ。
【請求項３２】
請求項１８に記載の端子アレイにおいて、
前記ハウジングと係合して前記第一の接点領域を保護する取り外し可能なカバー（６４）を備えることを更に特徴とする、端子アレイ。
【国際調査報告】
2005515858.tif 000018
2005515858.tif 000019